(57)【要約】      （修正有）【課題】ユーザの利便性を維持しつつ情報漏えいを低減させることが可能となる表示制御技術を提供する。【解決手段】入力文字列の表示制御処理方法であって、ユーザから入力欄に対する文字列の入力を受け付け、入力された文字列を視認できない状態で表示し、入力欄の領域にマウスカーソルが存在すると判定した場合は、入力された文字列を視認できる状態で表示する。【選択図】図３
2018106449.tif 000002
【特許請求の範囲】
【請求項１】
ユーザから入力欄に対する文字列の入力を受け付ける入力受付手段と、
前記入力欄に入力された文字列を視認できない状態で表示する表示制御手段と、
前記入力欄の領域にマウスカーソルが存在するかを判定する判定手段と、
を備え、
前記表示制御手段は、前記判定手段により前記入力欄の領域にマウスカーソルが存在すると判定された場合、前記入力された文字列を視認できる状態で表示することを特徴とする情報処理装置。
【請求項２】
前記表示制御手段は、さらに、前記入力欄の領域からマウスカーソルが移動した場合には、再度入力された文字列を視認できない状態で表示することを特徴とする請求項１に記載の情報処理装置。
【請求項３】
前記表示制御手段は、さらに、前記入力された文字列が視認できる状態で表示されてからの経過時間が所定の時間を経過した場合、当該文字列を再度視認できない状態で表示することを特徴とする請求項１または２に記載の情報処理装置。
【請求項４】
前記表示制御手段は、さらに、前記入力受付手段による文字列の入力を受け付けている間は、当該文字列を視認できない状態で表示することを特徴とする請求項１乃至３のいずれか１項に記載の情報処理装置。
【請求項５】
情報処理装置における情報処理方法であって、
前記情報処理装置の入力受付手段が、ユーザから入力欄に対する文字列の入力を受け付ける入力受付工程と、
前記情報処理装置の表示制御手段が、前記入力欄に入力された文字列を視認できない状態で表示する表示制御工程と、
前記情報処理装置の判定手段が、前記入力欄の領域にマウスカーソルが存在するかを判定する判定工程と、
を備え、
前記表示制御工程は、前記判定工程により前記入力欄の領域にマウスカーソルが存在すると判定された場合、前記入力された文字列を視認できる状態で表示することを特徴とする情報処理方法。
【請求項６】
情報処理装置において実行可能なプログラムであって、
前記情報処理装置を、
ユーザから入力欄に対する文字列の入力を受け付ける入力受付手段と、
前記入力欄に入力された文字列を視認できない状態で表示する表示制御手段と、
前記入力欄の領域にマウスカーソルが存在するかを判定する判定手段として機能させ、
前記表示制御手段を、前記判定手段により前記入力欄の領域にマウスカーソルが存在すると判定された場合、前記入力された文字列を視認できる状態で表示する手段として機能させるためのプログラム。
【発明の詳細な説明】
【技術分野】
【０００１】
本発明は、情報処理装置、情報処理方法、プログラムに関する。
【背景技術】
【０００２】
Ｗｅｂサービスにログインする場合や、機密情報にアクセスする場合など、様々な場面でパスワードの入力が必要となっている。また、マイナンバー制度の導入により、マイナンバーの入力が必要になる場面も増えてくることが予想される。
【０００３】
このようなパスワードやマイナンバーは、他人に知られてしまうと、情報漏えいや不正アクセスなどにつながるため、厳重な管理が必要となる。特に、ＰＣやタブレット端末などで入力する場合には、他人に画面を覗かれることで盗み見される可能性もあることから、これらの情報を画面に表示する方法にも工夫が必要となっている。
【０００４】
特許文献１には、入力されたパスワードをアスタリスクに変更して表示する仕組みについて開示されている。
【先行技術文献】
【特許文献】
【０００５】
【特許文献１】特開２００４−３４１５９０号公報
【発明の開示】
【発明が解決しようとする課題】
【０００６】
パスワード入力にあたっては、総当たり攻撃による不正アクセス防止の観点から、間違ったパスワードを所定回数入力すると、Ｗｅｂサービス等へのアクセスが禁止されるといった制御がなされている。
【０００７】
そのため、自分が入力した文字列が正しいかを確認したい場合も生じることから、パスワードなどの文字列の表示にあたっては、適切に表示と非表示とを切り替える必要がある。
【０００８】
そこで、本発明は、ユーザの利便性を維持しつつ情報漏えいを低減させることが可能な表示制御方法を提供することを目的とする。
【課題を解決するための手段】
【０００９】
本発明の情報処理装置は、ユーザから入力欄に対する文字列の入力を受け付ける入力受付手段と、前記入力欄に入力された文字列を視認できない状態で表示する表示制御手段と、前記入力欄の領域にマウスカーソルが存在するかを判定する判定手段と、を備え、前記表示制御手段は、前記判定手段により前記入力欄の領域にマウスカーソルが存在すると判定された場合、前記入力された文字列を視認できる状態で表示することを特徴とする。
【００１０】
また、本発明の情報処理方法は、情報処理装置における情報処理方法であって、前記情報処理装置の入力受付手段が、ユーザから入力欄に対する文字列の入力を受け付ける入力受付工程と、前記情報処理装置の表示制御手段が、前記入力欄に入力された文字列を視認できない状態で表示する表示制御工程と、前記情報処理装置の判定手段が、前記入力欄の領域にマウスカーソルが存在するかを判定する判定工程と、を備え、前記表示制御工程は、前記判定工程により前記入力欄の領域にマウスカーソルが存在すると判定された場合、前記入力された文字列を視認できる状態で表示することを特徴とする。
【００１１】
また、本発明のプログラムは、情報処理装置において実行可能なプログラムであって、前記情報処理装置を、ユーザから入力欄に対する文字列の入力を受け付ける入力受付手段と、前記入力欄に入力された文字列を視認できない状態で表示する表示制御手段と、前記入力欄の領域にマウスカーソルが存在するかを判定する判定手段として機能させ、前記表示制御手段を、前記判定手段により前記入力欄の領域にマウスカーソルが存在すると判定された場合、前記入力された文字列を視認できる状態で表示する手段として機能させるためのプログラム。
【発明の効果】
【００１２】
本発明によれば、ユーザの利便性を維持しつつ情報漏えいを低減させることが可能となる。
【図面の簡単な説明】
【００１３】
【図１】本発明における情報処理システムの構成の一例を示す図である。
【図２】本発明の実施形態における、情報処理装置、認証サーバのハードウェア構成の一例を示すブロック図である。
【図３】入力欄とマウスカーソルの位置関係に基づく入力文字列の表示制御処理を示すフローチャート
【図４】入力文字列の表示時間に基づく入力文字列の表示制御処理を示すフローチャートである。
【図５】入力欄への文字入力操作に基づく入力文字列の表示制御処理を示すフローチャートである。
【図６】図３のフローチャートで示すマウスカーソルの位置と文字列表示制御について説明した図
【図７】図４のフローチャートで示す入力文字列の表示時間に基づく入力文字列の表示制御処理について説明した図
【図８】端末エミュレータに表示された画面の一例
【図９】端末エミュレータにおける文字列表示制御について説明した図
【図１０】端末エミュレータにおける文字列表示制御について説明した図
【発明を実施するための形態】
【００１４】
以下、図面を参照して、本発明の実施形態を詳細に説明する。
【００１５】
図１は、本発明の情報処理システムの構成例を示す図である。
【００１６】
図１に示す通り、情報処理装置１０１（クライアント端末）と、認証サーバ１０２とがネットワーク１１０を介して通信可能に接続されている。
【００１７】
なお、後述する端末エミュレータに適用する場合においては、情報処理装置１０１が端末エミュレータとして機能し、認証サーバ１０２はホストコンピュータとなる。
【００１８】
図２は、本発明の実施形態における情報処理装置１０１、認証サーバ１０２のハードウェア構成の一例を示すブロック図である。
【００１９】
図２に示すように、情報処理装置は、システムバス２０４を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、入力コントローラ２０５、ビデオコントローラ２０６、メモリコントローラ２０７、よび通信Ｉ／Ｆコントローラ２０８が接続される。
【００２０】
ＣＰＵ２０１は、システムバス２０４に接続される各デバイスやコントローラを統括的に制御する。
【００２１】
ＲＯＭ２０２あるいは外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００２２】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２３】
入力コントローラ２０５は、キーボード２０９や不図示のマウス等のポインティングデバイス等の入力装置からの入力を制御する。入力装置がタッチパネルの場合、ユーザがタッチパネルに表示されたアイコンやカーソルやボタンに合わせて押下（指等でタッチ）することにより、各種の指示を行うことができることとする。
【００２４】
また、タッチパネルは、マルチタッチスクリーンなどの、複数の指でタッチされた位置を検出することが可能なタッチパネルであってもよい。
【００２５】
ビデオコントローラ２０６は、ディスプレイ２１０などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作を受け付け可能な装置については、入力装置も提供する。
【００２６】
なおビデオコントローラ２０６は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００２７】
メモリコントローラ２０７は、外部メモリ２１１へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００２８】
通信Ｉ／Ｆコントローラ２０９は、ネットワークを介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００２９】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３０】
次に、図３を用いて、入力欄とマウスカーソルの位置関係に基づく入力文字列の表示制御処理について説明する。
【００３１】
なお、図３のフローチャートで示す処理は、情報処理装置１０１のＣＰＵ２０１が所定の制御プログラムを読み出して実行する処理である。
【００３２】
ステップＳ３０１では、情報処理装置１０１のＣＰＵ２０１は、入力文字の表示モードが非表示モードであるかを判定する。
【００３３】
非表示モードである場合（ステップＳ３０１：ＹＥＳ）は、処理をステップＳ３０２に移行する。
【００３４】
非表示モードではない場合（ステップＳ３０１：ＮＯ）は、処理をステップＳ３０６に移行する。
【００３５】
ステップＳ３０２では、情報処理装置１０１のＣＰＵ２０１は、マウスカーソルが入力欄の領域内にあるかを判定する。
【００３６】
入力欄の領域内にある場合（ステップＳ３０２：ＹＥＳ）は、処理をステップＳ３０３に移行する。
【００３７】
入力欄の範囲内にない場合（ステップＳ３０２：ＮＯ）は、本フローチャートの処理を終了する。
【００３８】
ステップＳ３０３では、情報処理装置１０１のＣＰＵ２０１は、入力中の文字列を表示する。すなわち、アスタリスク等により表示されていた文字列を、実際に入力された文字列による表示に切り替える。
【００３９】
ステップＳ３０４では、情報処理装置１０１のＣＰＵ２０１は、表示モードとして入力文字列表示中を設定する。
【００４０】
ステップＳ３０５では、情報処理装置１０１のＣＰＵ２０１は、現在時刻を取得し、入力文字列を表示した時刻として設定する。
【００４１】
ステップＳ３０６では、情報処理装置１０１のＣＰＵ２０１は、入力欄の領域内にマウスカーソルが存在するかを判定する。
【００４２】
存在する場合（ステップＳ３０６：ＹＥＳ）は、本フローチャートの処理を終了する。
【００４３】
存在しない場合（ステップＳ３０６：ＮＯ）は、処理をステップＳ３０７に移行する。
【００４４】
ステップＳ３０７では、情報処理装置１０１のＣＰＵ２０１は、入力欄に入力された文字列の表示をもとの表示に戻す。すなわち、文字列の表示をアスタリスク等に変更することで、入力された文字列を視認できないように表示制御する。
【００４５】
ステップＳ３０８では、情報処理装置１０１のＣＰＵ２０１は、表示モードとして、入力文字列非表示を設定する。
【００４６】
以上の処理により、入力欄の領域にマウスカーソルがある場合には、入力欄に入力された文字列をそのまま表示するように表示制御することで、入力された文字列を視認することが可能となる。
【００４７】
また、マウスカーソルが入力欄の領域から外れた場合には、入力欄に入力された文字列をアスタリスクなどに変更することで、入力された文字列を視認できないようにすることが可能となる。
【００４８】
次に図４を用いて、入力文字列の表示時間に基づく入力文字列の表示制御処理について説明する。
【００４９】
なお、図４のフローチャートで説明する処理は、情報処理装置１０１のＣＰＵ２０１が所定の制御プログラムを読み出して実行する処理である。
【００５０】
ステップＳ４０１では、情報処理装置１０１のＣＰＵ２０１は、現在の表示モードが、入力文字列表示中であるかを判定する。
【００５１】
入力文字列表示中である場合（ステップＳ４０１：ＹＥＳ）は、処理をステップＳ４０２に移行する。
【００５２】
入力文字列表示中ではない場合（ステップＳ４０１：ＮＯ）は、本フローチャートに示す処理を終了する。
【００５３】
ステップＳ４０２では、情報処理装置１０１のＣＰＵ２０１は、入力文字列表示からの経過時間を算出する。具体的には、ステップＳ３０５で設定した表示開始時刻と現在時刻とを比較することで算出する。
【００５４】
ステップＳ４０３では、情報処理装置１０１のＣＰＵ２０１は、ステップＳ４０２で算出した経過時間が、あらかじめ定められた時間に達しているかを判定する。
【００５５】
予め定められた時間に達している場合（ステップＳ４０３：ＹＥＳ）は、処理をステップＳ４０４に移行する。
【００５６】
予め定められた時間に達していない場合（ステップＳ４０３：ＮＯ）は、本フローチャートに示す処理を終了する。
【００５７】
ステップＳ４０４では、情報処理装置１０１のＣＰＵ２０１は、入力欄に入力された文字列の表示を、もとの表示に戻す。すなわち、入力欄に入力された文字列をアスタリスク等に変更することで、視認できないよう表示制御する。
【００５８】
ステップＳ４０５では、情報処理装置１０１のＣＰＵ２０１は、表示モードとして入力文字列非表示を設定する。そして本フローチャートの処理を終了する。
【００５９】
以上の処理により、実際に入力された文字列の表示を一定時間に制限することが可能となる。これにより、実際に入力された文字列が表示された状態で離席してしまったような場合にも、第三者から盗み見される可能性を低減させることができるため、情報漏えいの危険性を低下させることができる。
【００６０】
次に、図５を用いて、入力欄への文字入力操作に基づく入力文字列の表示制御処理について説明する。
【００６１】
なお、図５のフローチャートで示す処理は、情報処理装置１０１のＣＰＵ２０１が所定の制御プログラムを読み出して実行する処理である。
【００６２】
ステップＳ５０１では、情報処理装置１０１のＣＰＵ２０１は、現在の表示モードが、入力文字列表示中であるかを判定する。
【００６３】
表示モードである場合（ステップＳ５０１：ＹＥＳ）は、処理をステップＳ５０２に移行する。
【００６４】
非表示モードである場合（ステップＳ５０１：ＮＯ）は、本フローチャートの処理を終了する。
【００６５】
ステップＳ５０２では、情報処理装置１０１のＣＰＵ２０１は、入力欄への文字入力操作（キー入力操作）があったか（入力操作を検知したか）を判定する。
【００６６】
入力操作があった場合（ステップＳ５０２：ＹＥＳ）は、処理をステップＳ５０３に移行する。
【００６７】
入力操作がない場合（ステップＳ５０２：ＮＯ）は、本フローチャートの処理を終了する。
【００６８】
ステップＳ５０３では、情報処理装置１０１のＣＰＵ２０１は、入力欄に入力された文字列の表示を、もとの表示に戻す。すなわち、入力欄に入力された文字列をアスタリスク等に変更することで、視認できないよう表示制御する。
【００６９】
ステップＳ５０４では、情報処理装置１０１のＣＰＵ２０１は、表示モードとして入力文字列非表示を設定する。そして本フローチャートの処理を終了する。
【００７０】
図６は、図３のフローチャートで示すマウスカーソルの位置と文字列表示制御について説明した図である。
【００７１】
図６（Ａ）は、文字列非表示モードにおける表示例である。パスワードがアスタリスクにより表示されている。
【００７２】
図６（Ｂ）は、文字列非表示モードの状態において、マウスカーソルが文字列入力欄に移動された場合の表示例である。マウスカーソルが入力欄の領域に存在する状態においては、アスタリスクから実際に入力された文字列「password」に変更されて表示されている。
【００７３】
図７（Ａ）は、マウスカーソルが入力欄の領域から外れた場合に、入力された文字列がアスタリスクに変換された表示例を示す画面の一例である。
【００７４】
図７（Ｂ）は、入力された文字列の表示から一定時間が経過した場合の表示例である。マウスカーソルが入力欄の領域にあるにもかかわらず、入力された文字列はアスタリスクに変換されている。
【００７５】
次に、図８〜図１０を用いて、本発明の表示制御処理を、端末エミュレータにおけるマイナンバーの表示処理に適用した場合の実施例について説明する。
【００７６】
図８は、端末エミュレータに表示された画面の一例である。マイナンバー１、マイナンバー２はいずれも、１２桁のマイナンバーが暗号化されたものである。それぞれ、通信可能に接続されたホストコンピュータから取得したものである。なお、端末エミュレータとホストコンピュータとの間の通信においては、マイナンバーは暗号化されてやり取りされるものとする。
【００７７】
図９（Ａ）は、マイナンバー１が表示された領域にマウスカーソルが移動してきた場合の表示例を示す画面である。
【００７８】
図９（Ａ）に示す通り、復号されたマイナンバー（すなわち、１２桁のマイナンバーそのもの）がポップアップ画面として表示されている。
【００７９】
図９（Ｂ）は、マウスカーソルがマイナンバーの表示領域から外れた場合の表示例である。ポップアップ画面が消え、再度暗号化されたデータのみが表示される。
【００８０】
図９（Ｃ）は、図９（Ａ）に示すポップアップ画面が表示されてから一定時間が経過した場合の表示例である。図９（Ｃ）に示す通り、マウスカーソルがマイナンバー１の表示領域に存在するにもかかわらず、ポップアップ画面は消え、暗号化されたデータのみが表示されている。
【００８１】
図１０（Ａ）は、ポップアップ画面上にマウスカーソルが移動した場合の表示例である。ポップアップ画面において１２桁のマイナンバーが表示されている。
【００８２】
図１０（Ｂ）は、ポップアップ画面にマウスカーソルが移動し、入力モードに遷移した場合の表示例である。図１０（Ｂ）に示す通り、マイナンバーがアスタリスクに変わっている。なお、入力されたマイナンバーは暗号化される。
【００８３】
図１０（Ｃ）は、入力モードにおいて一度マウスカーソルがポップアップ画面外に移動し、再度マウスカーソルがポップアップ画面に移動した場合の表示例である。図１０（Ｃ）に示す通り、ポップアップ画面に１２桁のマイナンバーが表示されている。
【００８４】
なお端末エミュレータに表示される画面については、保護フィールドと非保護フィールドの２種類の領域を設定可能である。非保護フィールドに表示されたマイナンバーについては、変更（入力）操作が可能である。
【００８５】
以上、クライアント端末や端末エミュレータに適用した実施形態について示したが、本発明は、例えば、システム、装置、方法、プログラムもしくは記録媒体等としての実施態様をとることが可能である。具体的には、複数の機器から構成されるシステムに適用しても良いし、また、一つの機器からなる装置に適用しても良い。
【００８６】
また、本発明におけるプログラムは、図３〜図５に示すフローチャートの処理方法をコンピュータが実行可能なプログラムであり、本発明の記憶媒体は図３〜図５の処理方法をコンピュータが実行可能なプログラムが記憶されている。なお、本発明におけるプログラムは図３〜図５の各装置の処理方法ごとのプログラムであってもよい。
【００８７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００８８】
この場合、記録媒体から読み出されたプログラム自体が本発明の新規な機能を実現することになり、そのプログラムを記録した記録媒体は本発明を構成することになる。
【００８９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００９０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９２】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９３】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００９４】
１０１  情報処理装置
１０２  認証サーバ
１１０  ネットワーク
【図１】
2018106449.tif 000003
【図２】
2018106449.tif 000004
【図３】
2018106449.tif 000005
【図４】
2018106449.tif 000006
【図５】
2018106449.tif 000007
【図６】
2018106449.tif 000008
【図７】
2018106449.tif 000009
【図８】
2018106449.tif 000010
【図９】
2018106449.tif 000011
【図１０】
2018106449.tif 000012